(57)【要約】      （修正有）【課題】スタンプ具に転写された図柄の位置、爪に転写される時の図柄の位置を簡単に合わせることができるようにするネイルアート用スタンプ具を提供する。【解決手段】使用者の爪Ｔに所望の図柄１を転写するためのネイルアート用スタンプ具５であって、ブロック状の透明な弾性体本体５１を備えている。弾性体本体５１の一方側には、図柄を爪に転写する転写面５３が形成され、他方側から弾性体本体５１を透して、転写面５３の図柄及び爪の表面Ｔ１を目視するようにする。【選択図】図１
0003201026.tif 000002
【実用新案登録請求の範囲】
【請求項１】
塗布剤によって予め図柄が形成されたテンプレートから該図柄を写し取って、写し取った該図柄を使用者の爪に転写するネイルアート用スタンプ具であって、
上記スタンプ具は、ブロック状の透明な弾性体本体を備え、
上記弾性体本体の一方側に、写し取った上記図柄を上記爪の表面に転写するための転写面を備え、
上記弾性体本体の他方側から該弾性体本体を透かして、上記転写面に写し取られた図柄及び上記爪の表面が目視できるようになっていることを特徴とするネイルアート用スタンプ具。
【請求項２】
請求項１に記載のネイルアート用スタンプ具において、
上記スタンプ具に、該スタンプ具の上記転写面に写し取られた上記図柄と上記爪の表面との相対位置を位置合わせするための第１目印が設けられていることを特徴とするネイルアート用スタンプ具。
【請求項３】
請求項２に記載のネイルアート用スタンプ具において、
上記第１目印が、上記爪の幅方向の位置合わせに用いる第１縦ガイド部と、該爪の長さ方向の位置合わせに用いる第１横ガイド部とを有することを特徴とするネイルアート用スタンプ具。
【請求項４】
請求項２または３に記載のネイルアート用スタンプ具と、
上記図柄を形成する画線部と、該画線部及び上記スタンプ具の相対位置を位置合わせするための第２目印とが設けられたテンプレートと、
上記テンプレートに塗布された上記塗布剤のうち、余剰の該塗布剤を除去する除去部材と、
上記転写面に写し取られた上記図柄と上記爪の表面との相対位置を位置合わせする第３目印とが設けられ、上記使用者の指を置く指置き部材とを備えることを特徴とするネイルアート用器具。
【請求項５】
請求項３に記載のネイルアート用器具において、
上記図柄を形成する画線部と、該画線部及び上記スタンプ具の相対位置を位置合わせするための第２目印とが設けられたテンプレートと、
上記テンプレートに塗布された上記塗布剤のうち、余剰の該塗布剤を除去する除去部材と、
上記転写面に写し取られた上記図柄と上記爪の表面との相対位置を位置合わせする第３目印とが設けられ、上記使用者の指を置く指置き部材とを備え、
上記第２目印が、上記爪の幅方向の位置合わせに用いる第２縦ガイド部と、該爪の長さ方向の位置合わせに用いる第２横ガイド部を有し、
上記第３目印が、上記爪の幅方向の位置合わせをする第３縦ガイド部と、該爪の長さ方向の位置合わせをする第３横ガイド部を有し、
上記転写面に上記テンプレート上の上記図柄を写し取る時に、上記第１横ガイド部及び上記第２横ガイド部、上記第１縦ガイド部及び上記第２縦ガイド部がそれぞれ平面視で重なり、
上記転写面に写し取られた上記図柄を上記爪に転写する時に、上記第１横ガイド部及び上記第３横ガイド部、上記第１縦ガイド部及び上記第３縦ガイド部がそれぞれ平面視で重なるように設けられていることを特徴とするネイルアート用器具。
【考案の詳細な説明】
【技術分野】
【０００１】
本考案は、使用者の爪に装飾を施すネイルアートに関するものであり、特に、ネイルアート用スタンプ具及びそのスタンプ具を有するネイルアート用器具に関するものである。
【背景技術】
【０００２】
従来より、爪にマニキュアを塗布したり、人工爪を貼り付けたりしてネイルアートを施して、指先の装飾を楽しむことが行われている。近年、ネイル美容への関心は高まっており、爪に異なる色を重ねて塗ったり、細かい模様を描画したりと凝ったものも多くなっている。また、ネイルサロン等でネイルアートを施術してもらうばかりではなく、自分でネイルアートを施したいという要望が多くなっている。そこで、これらの要望に応えるべく、自分でネイルアートを楽しめるよう様々なネイルアート用器具が提案されている。
【０００３】
例えば、特許文献１では、ネイルアート用器具として、スタンプ装置を用いて所望のネイルアート画（図柄）を爪に転写する技術が開示されている。具体的には、例えば、予めスタンプ本体下端のスタンプ部にインクやマニキュア等の塗布材を付着させておく。このように準備した状態で、スタンプ台の上面に設けられた凹部に片方の手の指を載せて位置合わせする。そして、他方の手で、スタンプ本体を収容可能な角筒状のガイド枠の下端をスタンプ台の位置決め溝に嵌めて、ガイド枠に挿入したスタンプ本体を押し下げる。そうすると、スタンプ本体下端のスタンプ部が、スタンプ台の凹部に置かれた指の爪の表面に圧接し、スタンプ部に形成されたネイルアート画が爪に転写されるようになっている。
【０００４】
また、例えば、特許文献２では、イメージプレート（テンプレート）に刻み付けられたイメージ（画線部）に、マニキュア等（塗布剤）を塗って、所望のイメージからはみ出たマニキュア等をブレード部材（除去部材）で除去して、所望イメージ内のマニキュア等をスタンプ（スタンプ具）に写し取り、写し取ったイメージを使用者の爪に印刷（転写）する技術が開示されている。
【先行技術文献】
【特許文献】
【０００５】
【特許文献１】特開平２００２−０５１８２９号公報
【特許文献２】特開平２００７−５２８７３８号公報
【考案の概要】
【考案が解決しようとする課題】
【０００６】
しかし、上記特許文献１のものでは、指の大きさに合わせた位置決め溝が設けられたスタンプ台、それに応じたガイド枠やスタンプ本体を用意することとなるため手間がかかり、簡単にネイルアートを行うことが難しい。その上、使用者の意図した位置に所望の図柄があるか否か、意図した位置に図柄等を転写できているかどうかを目視で確認することができない。
【０００７】
また、上記特許文献２によると、爪に所望の図柄を比較的容易に印刷できるが、特許文献１のものと同様に、使用者の意図した位置に所望の図柄があるか否か、意図した位置に図柄等を転写できているかどうかを目視で確認することができない。
【０００８】
本考案は、このような不具合を解消すべく考えられたものであり、使用者の爪と、爪に転写される図柄とを簡単に位置合わせできるようにすることを目的とする。
【課題を解決するための手段】
【０００９】
上記の目的を達成するために、この考案では、ネイルアート用スタンプ具の転写面の図柄を反対側から透かして目視できるようにした。
【００１０】
具体的には、第１の考案では、塗布剤によって予め図柄が形成されたテンプレートから該図柄を写し取って、写し取った該図柄を使用者の爪に転写するネイルアート用スタンプ具を前提とする。そして、上記スタンプ具は、ブロック状の透明な弾性体本体を備え、上記弾性体本体の一方側に、写し取った上記図柄を上記爪の表面に転写するための転写面を備え、上記弾性体本体の他方側から該弾性体本体を透かして、上記転写面に写し取られた図柄及び上記爪の表面が目視できるようになっていることを特徴とする。
【００１１】
第２の考案は、第１の考案のネイルアート用スタンプ具において、上記スタンプ具に、該スタンプ具の上記転写面に写し取られた上記図柄と上記爪の表面との相対位置を位置合わせするための第１目印が設けられていることを特徴とする。
【００１２】
第３の考案は、第２の考案のネイルアート用スタンプ具において、上記第１目印が、上記爪の幅方向の位置合わせに用いる第１縦ガイド部と、該爪の長さ方向の位置合わせに用いる第１横ガイド部とを有することを特徴とする。
【００１３】
第４の考案は、第２または第３の考案のネイルアート用スタンプ具と、上記図柄を形成する画線部と、該画線部及び上記スタンプ具の相対位置を位置合わせするための第２目印とが設けられたテンプレートと、上記テンプレートに塗布された上記塗布剤のうち、余剰の該塗布剤を除去する除去部材と、上記転写面に写し取られた上記図柄と上記爪の表面との相対位置を位置合わせする第３目印とが設けられ、上記使用者の指を置く指置き部材とを備えることを特徴とする。
【００１４】
第５の考案は、第３の考案のネイルアート用器具において、上記図柄を形成する画線部と、該画線部及び上記スタンプ具の相対位置を位置合わせするための第２目印とが設けられたテンプレートと、上記テンプレートに塗布された上記塗布剤のうち、余剰の該塗布剤を除去する除去部材と、上記転写面に写し取られた上記図柄と上記爪の表面との相対位置を位置合わせする第３目印とが設けられ、上記使用者の指を置く指置き部材とを備え、上記第２目印が、上記爪の幅方向の位置合わせに用いる第２縦ガイド部と、該爪の長さ方向の位置合わせに用いる第２横ガイド部を有し、上記第３目印が、上記爪の幅方向の位置合わせに用いる第３縦ガイド部と、該爪の長さ方向の位置合わせに用いる第３横ガイド部を有し、上記転写面に上記テンプレート上の上記図柄を写し取る時に、上記第１横ガイド部及び上記第２横ガイド部、上記第１縦ガイド部及び上記第２縦ガイド部がそれぞれ平面視で重なり、上記転写面に写し取られた上記図柄を上記爪に転写する時に、上記第１横ガイド部及び上記第３横ガイド部、上記第１縦ガイド部及び上記第３縦ガイド部がそれぞれ平面視で重なるように設けられていることを特徴とする。
【考案の効果】
【００１５】
第１の考案によると、弾性体本体が透明であるため、弾性体本体の他方側から、一方側の転写面に写し取られた図柄及び爪の表面を目視できるので、爪に転写する図柄と爪との位置合わせが容易である。
【００１６】
第２の考案によると、第１目印が設けられているため、爪に転写する図柄と爪の表面との位置合わせが更に容易である。
【００１７】
第３の考案によると、第１目印が第１横ガイド部及び第１縦ガイド部を有しているため、爪に転写する図柄と爪の表面との縦横方向の位置合わせが更に容易である。
【００１８】
第４の考案によると、第１目印が設けられたスタンプ具と第２目印が設けられたテンプレートと第３目印が設けられた指置き部材と除去部材とを備えているため、誰でも簡単に所望する位置にネイルアートを施すことができる。
【００１９】
第５の考案によると、第１目印と第２目印とを重ねて縦横方向の位置合わせができるので、複雑な図柄であっても意図する位置にネイルアートを施すことができる。
【図面の簡単な説明】
【００２０】
【図１】図１は、本考案の実施形態１にかかるネイルアート用スタンプ具を示す斜視図である。
【図２】図１のII―II線断面図である。
【図３】図３は、本考案の実施形態１に使用するテンプレートを示す平面図及び部分拡大平面図である。
【図４】図４は、図３に示すテンプレートに塗布剤を塗布する状態を示す平面図である。
【図５】図５は、図４に示すテンプレートに塗布された塗布剤のうち、余剰の塗布剤を除去する状態を示す平面図である。
【図６】図６は、図５に示すテンプレートから余剰の塗布剤を除去した後の状態を示す平面図である。
【図７】図７は、図６に示すテンプレートに、スタンプ具を重ねた状態を示す平面図である。
【図８】図８は、ネイルアートを施す指の爪を指置き部材に置いた状態を示す平面図である。
【図９】図９は、図８の状態にある爪に、スタンプ具を重ねた状態を示す平面図である。
【図１０】図１０は、図９の状態から指を外した状態を示す平面図である。
【図１１】本考案の実施形態２にかかるテンプレートを示す平面図である。
【図１２】本考案の実施形態３にかかるテンプレートを示す平面図である。
【考案を実施するための最良の形態】
【００２１】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２２】
（実施形態１）
実施形態１を図１〜図１０に基づいて説明する。 図１に示すように、使用者の指Ｙの爪Ｔの表面Ｔ１に、所望の図柄１を転写するためのネイルアート用スタンプ具（以下、単にスタンプ具と称す）５は、ブロック状の透明な弾性体本体５１と、この弾性体本体５１の上側部分が嵌合する筒状のケース５２とを備える。弾性体本体５１の一方側に、図３に示すテンプレート３（詳細は後述する）から写し取った図柄１を爪Ｔの表面Ｔ１に転写するための転写面５３を備える。弾性体本体５１は、例えば、ゴム、エラストマ、シリコンゴム、シリコン樹脂、アクリル樹脂系の透明樹脂材からなる弾性体である。また、弾性体本体５１は、平面視で略卵型からなっており、使用者の爪Ｔに押し付けた時に弾性変形して、曲面状の爪Ｔの周縁部分においても鮮明な転写を行いやすいよう、一定程度の弾性力を備えている。
【００２３】
ケース５２は、例えばアクリル樹脂系のハードプレートを略卵型の筒状に形成したものである。ケース５２の中途部分には、内径方向に突出したフランジ部５２ａが、一体に形成されている。弾性体本体５１をケース５２に下から挿入した際に、弾性体本体５１の上端が、フランジ部５２ａに当接してストッパとして機能し、弾性体本体５１がこれ以上奧に入り込まないようになっている。なお、ストッパとして機能するものであればフランジ部５２ａに限られるものではなく、ケースの一部分が内径方向に突出する凹み、凹溝やバーリング加工の穴でもよい。また、ケースの内側に、ケースよりも一回り径が小さく長さの短い筒を嵌めて、ケースとの段差部分（内側の筒の端部）をストッパとしてもよい。また、内側の筒の代わりに、ケースの長さよりも短い棒状体をケースの内側に接着して、この棒状体の下端部をストッパとしてもよい。或いは、ケース５２に細工をするのではなく、弾性体本体を細工する、例えば、弾性体本体の下側部分の径をケースの径より大きくして弾性体本体に段差部分を形成し、弾性体本体の上側部分をケースに嵌めて、弾性体本体の段差部分がケース５２の下端に当たってストッパとなるようにする、等で対策してもよい。
【００２４】
フランジ部５２ａよりも下側におけるフランジ部５２ａの内周に、シリコンゴム等の滑り止め剤が被覆されている。弾性体本体５１の上側部分外周が、ケース５２の滑り止め剤が被覆された部分に嵌め込まれている。嵌め込み具合は、爪に弾性体本体５１を押し付ける際には簡単にずれない程度で、弾性体本体５１を交換する際には手で容易に外れる程度であればよく、滑り止め剤を省略することも可能である。
【００２５】
転写面５３は、弾性体本体５１の下面に形成されている。転写面５３は、転写面５３の所望の図柄を爪Ｔに転写しやすくするために、僅かに凸面状に中央が膨らんだ形状になっている。即ち、爪の大きさや爪の湾曲具合は人によって異なっており、また親指から小指までの指ごとに異なっているので、これらの爪の表面に図柄を転写するためには、爪ごとにスタンプ具５を爪の湾曲面に沿って傾けながら押し付けるようにするとよい。そのために、転写面５３は中央が膨らんだ凸面状になっており、転写面５３を湾曲した表面Ｔ１に沿って転がすように、角度を傾けながら押し付けることで、爪Ｔの周縁部分においても鮮明な転写を行うことができるようになっている。弾性体本体５１の上面は平面状になっているが、これに限られるものではなく、弾性体本体５１を透して、転写面５３の図柄１及び指の爪Ｔの位置が目視できればよく、凸状や凹状等でもよい。なお、上面は平面状である方が、上側から弾性体本体５１を透して転写面５３を目視したときに歪みが生じにくい。
【００２６】
なお、フランジ部５２ａをケース５２の中途部分に設けたが、この位置に限られるものではなく、例えば、更に上側や上端に設けてもよい。また、フランジ部５２ａ以外の構造や接着等によって、弾性体本体５１とケース５２とを組み付けるようにしてもよい。或いは、弾性体本体５１にケース５２を被せて、持ちやすいようにするだけでもよい。また、ケース５２なしで、単に弾性体本体５１だけで使用するようにすることも可能である。
【００２７】
図１に示すように、スタンプ具５のケース５２のフランジ部５２ａに、スタンプ具５の転写面５３の図柄１と爪Ｔの表面Ｔ１との相対位置を位置合わせする第１目印６が設けられている。この第１目印６は、右端側から時計回り方向で順番に、目印６ａ、６ｂ、６ｃ、６ｄ、６ｅ、６ｆを備えている。目印６ａと目印６ｄとが爪Ｔの幅方向の位置合わせをする第１縦ガイド部となり、目印６ｂと目印６ｆとが爪の長さ方向の位置合わせをする第１横ガイド部（中央第１横ガイド部）となり、目印６ｃと目印６ｅとが爪Ｔの長さ方向の位置合わせをする別の第１横ガイド部（下側第１横ガイド部）となっている。
【００２８】
この第１縦ガイド部（目印６ａ，６ｄ）が、詳細は後述するが、図９に示す指置き部材７の第３目印８の第３縦ガイド部８１と一致して、中央第１横ガイド部（目印６ｂ，６ｆ）が、第３横ガイド部８２と一致するようになっている。
【００２９】
なお、この実施形態では、第１目印６として、目印６ａ、６ｂ、６ｃ、６ｄ、６ｅ、６ｆの６か所に設けたが、この数に限られものではなく、例えば縦横の４か所でもよく、逆に６か所よりも多く設けてもよい。また、第１縦ガイド部、第１横ガイド部及び別の第１横ガイド部は、実際にはラインとして引いていないが、図柄１を目視するうえで邪魔にならないようであれば、実際に長手方向や幅方向にラインを引いてもよい。
【００３０】
次に、ネイルアート用器具及びその使い方を図３〜図１０に基づいて説明する。
【００３１】
図３に示すように、テンプレート３には、５種類の図柄１を形成するための画線部２が設けられている。画線部２は、指Ｙの爪Ｔの大きさに対応するように、例えば、右側から親指、中指、人差し指、薬指、小指用として、大きさの異なるハート画線２ａ、２ｂ、２ｃ、２ｄ、２ｅを備えている。各々ハート画線２ａ〜２ｅは、その輪郭部分をテンプレート３に刻み込んで形成されている。このテンプレート３の画線部２は、ほんの一例であり、他の模様であってもよいし、輪郭だけではなく、全体を画線部２とするように刻み込んで形成してもよい。なお、テンプレート３上において、画線が刻み込まれていない部分を非画線部と称す。
【００３２】
図３に示すように、図柄１を形成する画線部２とスタンプ具５の転写面５３との相対位置を位置合わせする第２目印４が、テンプレート３に設けられている。この第２目印４は、第２横ガイド部４１として、ハート画線２ａ、２ｂ、２ｃ、２ｄ、２ｅの各々中央部分を横切る１本のラインと、第２縦ガイド部４２として、ハート画線２ａ、２ｂ、２ｃ、２ｄ、２ｅの各々中央部分を縦に通る５本のラインを備えている。第２縦ガイド部４２としてのこれらのラインを、右から４２ａ、４２ｂ、４２ｃ、４２ｄ、４２ｅとする。
【００３３】
以下、ハート画線２ｃを、例えば人差し指の爪Ｔに転写する例で説明する。
【００３４】
図４に示すように、例えば、インクやマニキュア９１などの塗布剤を刷毛９２など使って、テンプレート３のハート画線２ｃ上に塗布する。この時に、画線部２だけでなく、その周りの非画線部にもマニキュア９１が塗布されることとなる。そのために、非画線部上のマニキュア９１（余剰の塗布剤）を取り除くことが必要となる。
【００３５】
この作業は、図５に示すように、除去部材として、例えばプラスチック等からなる除去プレート１０を用いて行われる。具体的には、テンプレート３の表面を除去プレート１０の端面でこするように滑らす。これによって、図６に示すように、除去プレート１０に余剰のマニキュア９１が付着し、刻み込んで形成されたハート画線２ｃ（画線部２）の溝にマニキュア９１が残った状態となる。こうして、マニキュア９１によってテンプレート３に図柄１が形成される。
【００３６】
次に、テンプレート３上の図柄１を、ネイルアート用スタンプ具５に転写する作業について説明する。図７に示すように、この図柄１の上側に、間隔を空けて、スタンプ具５を被せるように位置付ける。そして、弾性体本体５１の他方側から弾性体本体５１を透かして、テンプレート３上のハート画線２ｃを目視する。そして、平面視で、テンプレート３の第２目印４の第２横ガイド部４１に第１目印６の目印６ｂと目印６ｆ（第１横ガイド部（中央第１横ガイド部））を重ね、第２縦ガイド部４２ｃ（４２）に第１目印６の目印６ａと目印６ｄ（第１縦ガイド部）を重ねるようにする。この時に、弾性体本体５１が透明であるので、目印６ａと目印６ｄとを備える中央第１縦ガイド部に第２縦ガイド部４２ｃが重なる状態、及び、目印６ｂと目印６ｆとを備える中央第１横ガイド部に第２横ガイド部４１が重なる状態を目視で確認することができる。この状態から、スタンプ具５の転写面５３をテンプレート３上の図柄１に押し当てる。この作業によって、テンプレート３上の図柄１をスタンプ具５の転写面５３に写し取ることができる。スタンプ具５及びテンプレート３に設けられた各々ガイド部を目視して合わせることで、テンプレート３上の図柄１が傾いたりずれたりすることなく、スタンプ具５に写し取ることができる。
【００３７】
一方、ネイルアートを施す指Ｙの一例として、図８に示すように、人差し指Ｙを指置き部材７に載せる。指置き部材７の例として、例えば、ゴムマット、樹脂プレート等の少しクッション性のあるマットが用意されている。指置き部材７には、転写面５３の図柄１と指Ｙの爪Ｔの表面Ｔ１との相対位置を位置合わせする第３目印８がライン状に設けられている。この第３目印８は、縦方向に通る第３縦ガイド部８１と横方向に通る第３横ガイド部８２とを備える。
【００３８】
図８に示すように、この第３縦ガイド部８１に爪Ｔの幅方向中央部を合わせるように、かつ第３横ガイド部８２に爪Ｔの長さ方向中央部より下側を合わせるように位置付ける。なお、本実施形態では、爪Ｔの長さ方向中央部より下側に図柄１の中央部を位置付けるためにこのように合わせたが、これに限られるものではなく、所望する位置に図柄１が転写されるように位置合わせすればよい。例えば、指置き部材７に置く爪Ｔの位置をずらす、或いは、テンプレート３から転写面５３に写し取る時にスタンプ具５の位置をずらすなどによって、簡単に所望の位置に調整できる。
【００３９】
この状態で、図９に示すように、この爪Ｔにスタンプ具５の転写面５３の図柄１を転写する。まず、指置き部材７に置かれた爪Ｔの上方位置にスタンプ具５を持ってきて、スタンプ具５の上方から弾性体本体５１を透して、転写面５３の図柄１と、爪Ｔの表面Ｔ１とを目視する。そして、平面視で、スタンプ具５の目印６ａと目印６ｄ（第１縦ガイド部）が指置き部材７の第３縦ガイド部８１に重なり、転写面５３の目印６ｂと目印６ｆ（第１横ガイド部（中央第１横ガイド部））が指置き部材７の第３横ガイド部８２と重なるように位置合わせする。位置合わせが完了したら、スタンプ具５の転写面５３を爪Ｔの表面Ｔ１に接触させて押し付ける。爪Ｔの表面Ｔ１は、縦横方向に湾曲しているため、この曲面にきれいに転写できるように、スタンプ具５を押し付けた状態で縦横方向に僅かに傾けながら、図柄１を転写する。弾性体本体５１は弾力を備え、転写面５３は緩やかな凸面状となっているため、爪Ｔの表面Ｔ１が凸凹であったり、湾曲したりしていても、周縁まできれいに転写することができる。
【００４０】
上記作業によって、図１０に示すように、人差し指Ｙの爪Ｔの表面Ｔ１の中央より下側の位置に、図柄１が転写される。他の指にも同じように図柄１を転写したい場合には、同様の作業を繰り返せばよい。
【００４１】
このように、実際に目視しながら、スタンプ具５にテンプレート３の図柄１を写し取り、また、スタンプ具５に写し取られた図柄１を爪Ｔに転写できるので、利き腕ではない方の手で、利き腕の指Ｙの爪Ｔにネイルアートを施すことができ、かつ意図する位置に簡単にネイルアートを施すことができる。また、ネイルアート初心者でも、簡単に位置合わせしてネイルアートを楽しむことができる。
【００４２】
なお、本実施形態では、テンプレート３の一例として、図３に示すように、爪Ｔの親指から小指に対応するように５種類の大きさの画線を用意したが、これに限られるものではない。
【００４３】
（実施形態２）
実施形態２について、図１１に基づいて説明する。実施形態２が実施形態１と異なるのは、テンプレート３１の構造であり、他は実施形態１と同じである。実施形態２では、実施形態１と異なる部分のみ説明し共通部分の説明は省略する。
【００４４】
図１１に示すテンプレート３１は、爪Ｔ（図８〜１０参照）の先端部分に半月状にアートを施す、所謂フレンチネイル柄を施す場合に好適な例である。テンプレート３１に、図柄として、フレンチ柄１０１が、親指から小指に対応するように異なる大きさで形成されている。また、各フレンチ柄１０１の下方には、ライン柄１０２及びレース柄１０３が形成されている。各ライン柄１０２、各レース柄１０３は、各フレンチ柄１０１の下縁端の境界ラインに被せるように転写されるものであり、フレンチ柄１０１の境界ラインの円弧に沿った模様となっている。
【００４５】
フレンチ柄１０１、ライン柄１０２、レース柄１０３の各々幅方向中央には、爪Ｔの幅方向中央に相当する位置に第２縦ガイド部４２１（第２目印４）としてそれぞれラインが引かれている。
【００４６】
フレンチ柄１０１の下側には、爪Ｔの根元部分に相当する位置に、第２横ガイド部４１１が引かれている。フレンチネイル柄１０１をスタンプ具５に写し取るとき（図７に相当）にスタンプ具５の目印６ｃ，６ｅをこの第２横ガイド部４１１に合わせる。そして、爪Ｔの根元を指置き部材７の第３横ガイド部８２に合わせて指Ｙを置く（図８に相当）。フレンチネイル柄１０１を爪Ｔに転写するときに、スタンプ具５の目印６ｃ，６ｅを指置き部材７の第３横ガイド部８２に合わせる（図９に相当）。そうすると、テンプレート３１上の第２横ガイド部４１１からフレンチネイル柄１０１までの距離と、爪Ｔの根元部分からフレンチネイル柄１０１との距離とを同じくして、転写することができる。
【００４７】
また、テンプレート３１には、ライン柄１０２及びレース柄１０３の頂点を横切る第２横ガイド部４１２（第２目印４）、第２横ガイド部４１３（第２目印４）がそれぞれ引かれている。
【００４８】
ライン柄１０２をフレンチ柄１０１の境界ラインに重ねるときには、例えば以下のようにする。ライン柄１０２をスタンプ具５に写し取るとき（図７に相当）に、スタンプ具５の目印６ｂ，６ｆをこの第２横ガイド部４１２に合わせる。そして、爪Ｔに施されたフレンチ柄１０１の境界ラインの幅方向中央部（フレンチ柄１０１の円弧の頂部）を指置き部材７の第３横ガイド部８２に合わせて指Ｙを置く（図８に相当）。ライン柄１０２を爪Ｔに転写するときに、スタンプ具５の目印６ｂ，６ｆを指置き部材７の第３横ガイド部８２に合わせる（図９に相当）。そうすると、フレンチ柄１０１の下端縁の円弧状の境界ラインに沿って、ライン柄１０２を重ねて転写することができる。
【００４９】
また、レース柄１０３をフレンチ柄１０１と重ねるときには、第３横ガイド部４１３を使って、ライン柄１０２と同様の手順によってフレンチ柄１０１の境界ラインにレース柄１０３を重ねて転写することができる。
【００５０】
このように、フレンチ柄１０１の下端縁の境界ラインに沿ってライン柄１０２やレース柄１０３を重ねる場合等、柄の位置合わせが難しい場合であっても、弾性体本体１１が透明であるため目視しながら位置合わせできるため、複雑なネイルアートを簡単に施すことができる。
【００５１】
なお、第２横ガイド部４１２と４１３は、それぞれライン柄１０２及びレース柄１０３の円弧の頂点部分を横切るように設けたが、必ずしもこの位置に限られるものではない。
【００５２】
（実施形態３）
実施形態３について、図１２に基づいて説明する。実施形態３が実施形態１と異なるのは、テンプレート３２の構造であり、他は実施形態１と同じである。実施形態３では、実施形態１と異なる部分のみ説明し共通部分の説明は省略する。
【００５３】
本実施形態では、例えば、一つの爪Ｔに、輪郭部分と塗り部分等を重ねて転写する場合に好適である。図１２では、花柄１０４と、葉柄１０５と、これらの図柄の輪郭線１０６を重ねる（所謂、重ね刷）例を挙げて説明する。
【００５４】
輪郭線１０６と花柄１０４と葉柄１０５とが縦並びに形成され、これらのセットが親指から小指に対応するように、大きさを変えて５組横に並んでいる。輪郭線１０６と花柄１０４と葉柄１０５のそれぞれの略中央部分を縦方向に通るように、第２縦ガイド部４２２（第２目印４）としてのラインが引かれており、それぞれの略中央部分を横方向に通るように、第２横ガイド部４１４（第２目印４）としてのラインが引かれている。輪郭線１０６と花柄１０４と葉柄１０５のそれぞれをスタンプ具５に写し取るとき、及び爪Ｔに転写するときに、これらのガイド部４１４，４２２をスタンプ具及び指置き部材７のガイド部に合わせれば、輪郭線１０６と花柄１０４と葉柄１０５を爪Ｔの同じ位置に転写することができるので、所謂重ね刷のような模様であっても簡単に施すことができる。特に、花柄１０４と葉柄１０５と輪郭線１０６のようにそれぞれの色を変えて、同じ位置に転写したい場合に好適である。
【００５５】
（その他の実施形態）
ネイルアート用スタンプ具５の弾性体本体５１を略卵型にしたものであるが、この形状に限られるものではなく、円形状、楕円形状、多角形状等でもよい。
【００５６】
また、ケース５２を設けたが、単に弾性体本体５１だけとしてもよい。この場合には、目印を弾性体本体５１に直接設けるようにすればよい。
【００５７】
なお、透明な弾性体本体５１は、弾性体本体５１を透かして転写面５３の図柄１と爪Ｔの表面Ｔ１を目視できればよいものであり、これらを達成できれば半透明でも部分的に模様があっても構わないものであり、本考案に含まれるものとする。
【産業上の利用可能性】
【００５８】
本考案は、使用者の爪に装飾を施すネイルアート用スタンプ具及びそのスタンプ具を有するネイルアート用器具に極めて有用である。
【符号の説明】
【００５９】
１          図柄
２          画線部
３，３１，３２  テンプレート
４          第２目印（第２縦ガイド部、第２横ガイド部）
４１，４１１，４１２，４１３，４１４  第２横ガイド部
４２，４２１，４２２                  第２縦ガイド部
５          スタンプ具
５１        弾性体本体
５３        転写面
６          第１目印（第１縦ガイド部、第１横ガイド部）
６ａ，６ｄ  目印（第１縦ガイド部）
６ｂ，６ｆ  目印（第１横ガイド部（中央第１横ガイド部））
６ｃ，６ｅ  目印（第１横ガイド部（下側第１横ガイド部））
７          指置き部材
８          第３目印（第３縦ガイド部、第３横ガイド部）
８１        第３縦ガイド部
８２        第３横ガイド部
１０        除去プレート（除去部材）
９１        塗布剤
Ｙ          指
Ｔ          爪
Ｔ１        爪の表面
【図１】
0003201026.tif 000003
【図２】
0003201026.tif 000004
【図３】
0003201026.tif 000005
【図４】
0003201026.tif 000006
【図５】
0003201026.tif 000007
【図６】
0003201026.tif 000008
【図７】
0003201026.tif 000009
【図８】
0003201026.tif 000010
【図９】
0003201026.tif 000011
【図１０】
0003201026.tif 000012
【図１１】
0003201026.tif 000013
【図１２】
0003201026.tif 000014
【手続補正書】
【提出日】平成27年9月3日(2015.9.3)
【手続補正１】
【補正対象書類名】実用新案登録請求の範囲
【補正対象項目名】請求項５
【補正方法】変更
【補正の内容】
【請求項５】
請求項４に記載のネイルアート用器具において、
上記図柄を形成する画線部と、該画線部及び上記スタンプ具の相対位置を位置合わせするための第２目印とが設けられたテンプレートと、
上記テンプレートに塗布された上記塗布剤のうち、余剰の該塗布剤を除去する除去部材と、
上記転写面に写し取られた上記図柄と上記爪の表面との相対位置を位置合わせする第３目印とが設けられ、上記使用者の指を置く指置き部材とを備え、
上記第２目印が、上記爪の幅方向の位置合わせに用いる第２縦ガイド部と、該爪の長さ方向の位置合わせに用いる第２横ガイド部を有し、
上記第３目印が、上記爪の幅方向の位置合わせをする第３縦ガイド部と、該爪の長さ方向の位置合わせをする第３横ガイド部を有し、
上記転写面に上記テンプレート上の上記図柄を写し取る時に、上記第１横ガイド部及び上記第２横ガイド部、上記第１縦ガイド部及び上記第２縦ガイド部がそれぞれ平面視で重なり、
上記転写面に写し取られた上記図柄を上記爪に転写する時に、上記第１横ガイド部及び上記第３横ガイド部、上記第１縦ガイド部及び上記第３縦ガイド部がそれぞれ平面視で重なるように設けられていることを特徴とするネイルアート用器具。
【手続補正２】
【補正対象書類名】明細書
【補正対象項目名】００１４
【補正方法】変更
【補正の内容】
【００１４】
第５の考案は、第４の考案のネイルアート用器具において、上記図柄を形成する画線部と、該画線部及び上記スタンプ具の相対位置を位置合わせするための第２目印とが設けられたテンプレートと、上記テンプレートに塗布された上記塗布剤のうち、余剰の該塗布剤を除去する除去部材と、上記転写面に写し取られた上記図柄と上記爪の表面との相対位置を位置合わせする第３目印とが設けられ、上記使用者の指を置く指置き部材とを備え、上記第２目印が、上記爪の幅方向の位置合わせに用いる第２縦ガイド部と、該爪の長さ方向の位置合わせに用いる第２横ガイド部を有し、上記第３目印が、上記爪の幅方向の位置合わせに用いる第３縦ガイド部と、該爪の長さ方向の位置合わせに用いる第３横ガイド部を有し、上記転写面に上記テンプレート上の上記図柄を写し取る時に、上記第１横ガイド部及び上記第２横ガイド部、上記第１縦ガイド部及び上記第２縦ガイド部がそれぞれ平面視で重なり、上記転写面に写し取られた上記図柄を上記爪に転写する時に、上記第１横ガイド部及び上記第３横ガイド部、上記第１縦ガイド部及び上記第３縦ガイド部がそれぞれ平面視で重なるように設けられていることを特徴とする。